(57)【要約】【課題】透明なＰＥＴボトル等の全体を遮光し、外観にも優れた熱収縮性ラベルを装着した遮光性容器を提供する。【解決手段】キャップを装着した透光性容器本体の胴部を遮光性の熱収縮性ラベルにより被覆し、キャップから前記容器本体の胴部上方を遮光性キャップシールにより被覆した遮光性容器であって、熱収縮性ラベルの上端部分とキャップシールの下端部分が重なり合っていることを特徴とする遮光性容器。また、前記キャップが遮光性を有し、前記キャップシールの上端には切込みが形成されている構成とする。【選択図】図１
2004256143.tif 000002
【特許請求の範囲】
【請求項１】
キャップを装着した透光性容器本体の胴部を遮光性の熱収縮性ラベルにより被覆し、キャップから前記容器本体の胴部上方を遮光性キャップシールにより被覆した遮光性容器であって、熱収縮性ラベルの上端部分とキャップシールの下端部分が重なり合っていることを特徴とする遮光性容器。
【請求項２】
前記キャップが遮光性を有し、前記キャップシールの上端には切込みが形成されていることを特徴とする請求項１に記載の遮光性容器。
【請求項３】
キャップシールの下端には、切込みが形成されていることを特徴とする請求項１または請求項２に記載の遮光性容器。
【発明の詳細な説明】
【０００１】
【発明の属する技術分野】
本発明は、ガラス瓶やプラスチックボトル等の透明、半透明等の透光性を有する容器本体に遮光性を有する熱収縮性ラベルを装着した遮光性容器に関する。
【０００２】
【従来の技術】
飲料や食品、薬品等を充填する容器として、内容物の変質、劣化を防止するために紫外線等を遮断する茶色や緑色等の着色容器が使用されているが、このような着色容器（ガラス瓶、プラスチック容器）は、リサイクル時に透明材料として再生困難であるため、近年は、透明な容器に遮光性を有する熱収縮性ラベルを装着した容器が検討されている。
【０００３】
この種の熱収縮性ラベルとしては、熱収縮性フィルムに遮光性を有する白色インキや黒色インキ、銀色インキを塗布し積層したもの等がある。
【０００４】
【特許文献１】
特開２００２−１８９４１５号公報
【０００５】
【特許文献２】
特開２００３−２６２５２号公報
【０００６】
【発明が解決しようとする課題】
しかしながら、ガラス瓶やポリエチレンテレフタレート製ボトル（ＰＥＴボトル）等には、様々な形状のものが有り、胴部の太さに比べ首部（胴部上方）やキャップを装着した部分が細くなっている、径差を有する細口容器等は、熱収縮性ラベルの収縮率が足りず装着できない場合や、装着可能であっても径の小さな首部（胴部上方）では、収縮時の歪みが起こり易いという問題があった。
【０００７】
本発明は、こうした従来技術の問題を解決することを課題とし、透光性を有する容器本体を用い、優れた遮光性を有する遮光性容器を提供することを目的とする。
【０００８】
【課題を解決するための手段】
本発明に係る遮光性容器は、キャップを装着した透光性容器本体の胴部を遮光性の熱収縮性ラベルにより被覆し、キャップから前記容器本体の胴部上方を遮光性キャップシールにより被覆した遮光性容器であって、熱収縮性ラベルの上端部分とキャップシールの下端部分が重なり合っているものである。
【０００９】
この構成によれば、遮光性熱収縮性ラベルと遮光性キャップシールにより被覆され、透光性容器本体の周囲全体が遮光される。
【００１０】
また、前記キャップが遮光性を有し、前記キャップシールの上端には切込みが形成された構成によれば、遮光性を維持した状態で容器の開封性を向上させることが出来る。
【００１１】
また、キャップシールの下端に切込みが形成されている場合は、切込み部分は遮光性を有する熱収縮性ラベルにより遮光性が維持された状態で、切込みにより開封性が向上する。
【００１２】
【発明の実施の形態】
以下に、本発明の実施の形態を図面に基づいて具体的に説明する。
【００１３】
図１は、本発明に係る遮光性容器の構成例を示す。図２は、図１の要部断面を示す。
【００１４】
この遮光性容器１は、遮光性を有するキャップ７を装着した透光性容器本体３の胴部に、胴部上方（首部）の小径部分を除いて遮光性を有する熱収縮性ラベル４が装着され、キャップ７の天面周縁部分から胴部上方の熱収縮性ラベル４の上端部分に重なる位置までを覆うキャップシール２が装着されて構成されている。
【００１５】
なお、キャップシール２と熱収縮性ラベル４の重なり部分は、上下方向に３〜２０ｍｍ程度である。
【００１６】
透光性容器本体３は、ガラス瓶やポリエチレンテレフタレート等のポリエステル製ボトル（ＰＥＴボトル）、ポリエチレン製ボトル等のプラスチック容器で、透明、半透明または遮光性が不十分な薄色の透光性容器である。
【００１７】
キャップ４は、遮光性を有する樹脂またはアルミニウム等の金属から形成されている。
【００１８】
キャップシール２は、フィルム基材２１と遮光層２２が積層され、切込み５１とミシン孔５２、ハーフカット５３が切除手段として２条施されている。
【００１９】
切込み５１の長さは、２〜８ｍｍ程度である。
【００２０】
熱収縮性ラベル４は、フィルム基材４１と遮光層４２が積層され、上下方向にハーフカットにより形成された切取線５が２条施されている。
【００２１】
キャップシール２と熱収縮性ラベル４のフィルム基材２１、４１を形成する熱収縮性フィルムは、ポリエチレンテレフタレート等のポリエステル系樹脂、ポリプロピレン等のポリオレフィン系樹脂、スチレンブタジエン共重合体等のスチレン樹脂、ポリ塩化ビニル等からなる一方向に大きな収縮率を有する一軸または二軸延伸フィルムであり、一方向の収縮率が３０％以上、好ましくは５０％以上、厚さが２０〜７０μｍである。
【００２２】
キャップシール２および熱収縮性ラベル４は、フィルム基材の収縮率の大きな方向を周方向にした筒状に形成される。
【００２３】
遮光層２２、４２は遮光性インキ等の塗布膜等から形成されるが、遮光性インキとしては、酸化チタン等を含む白色インキ、カーボンブラックを含む黒色インキ、アルミニウム微粒子を含む銀色インキ、茶色や赤色のインキ等が使用できる。
【００２４】
これらのインキの種類は、容器本体に充填する内容物（日本酒、洋酒、ビール、牛乳、お茶類、ビタミン類、医薬品等）によって遮光が必要な光（紫外線、可視光線）の波長が異なるため、内容物の種類等によって、適宜選択されるが、カーボンブラックを含有した黒色インキ、アルミニウム微粒子を含有した銀色インキまたはこれらに酸化チタンを含有した白色インキを混合したグレー系のインキが可視光線の遮光性にも優れ好ましい。
【００２５】
インキの塗布方法としては、グラビア印刷、フレキソ印刷が量産性に優れ好ましく、この場合、遮光層の厚さは、１〜８μｍである。
【００２６】
なお、遮光性インキには、紫外線吸収剤等を添加し、紫外線の遮断性を向上させることもできる。
【００２７】
また、遮光層２２、４２は、遮光性樹脂製フィルムのラミネートやフィルム基材２１、４１を形成する熱収縮性フィルムの製造時に遮光性樹脂を共押出により積層して形成しても良い。
【００２８】
この場合の遮光性樹脂は、前記遮光性インキと同様にカーボンブラック等の遮光性に優れた着色剤等を添加したものが使用できる。
【００２９】
キャップシール２と熱収縮性ラベル４は同様の積層体が使用できる。これらの構成例を図３（イ）（ロ）（ハ）に示す。
【００３０】
図３（イ）は、透明な熱収縮性フィルムからなるフィルム基材２１、４１の裏面に文字、デザイン等の印刷２３と白色印刷２４施し、カーボンブラックを含む黒色印刷（遮光層）２２、４２を施したものである。
【００３１】
白色印刷２４は、２〜４回重ね刷りしても良く、この白色によりデザインを鮮明にするとともに遮光性を増す効果が得られる。
【００３２】
図３（ロ）は、白色の熱収縮性フィルムからなるフィルム基材２１、４１の表面に文字、デザイン等の印刷２３とオーバーコート層２５を施し、裏面にカーボンブラックと白色酸化チタンを含有したグレー印刷（遮光層）２２、４２を施したものである。
【００３３】
図３（ハ）は、フィルム基材２１、４１として、白色層２６、黒色層（遮光層）２２、４２、白色層２８からなる３層共押出しで製膜、延伸した熱収縮性フィルムを使用したものであり、ラベル基材２１、４２の表面に文字、デザイン等の印刷２３とオーバーコート層２５が施されている。
【００３４】
この構成に後述するハーフカットを施す場合は、フィルム基材表側から白色層２６に施される。
【００３５】
キャップシール２は、その上端に開封（切取り）時に摘みとなる切込み５１が形成されている。
【００３６】
また、切込み５１に連接してミシン孔（断続した貫通孔）５２が形成されキャップシールの切取りを容易にしている。
【００３７】
また、キャップシール２には、ハーフカット５３が形成され、キャップシール２を下端まで切取りを容易にしている。
【００３８】
上記切込み５１およびミシン孔５２は、遮光性を有するキャップ７を被覆する部分に形成されている。
【００３９】
これにより、切込み５１やミシン孔５２を通った光は、キャップ７により遮光されるため、容器の内容物に悪影響を与えることが無い。
【００４０】
また、ハーフカット５３は、キャップシール２の遮光層２２に達することなく形成されているため遮光性が維持されている。
【００４１】
熱収縮性ラベル４に形成されているハーフカット６も同様である。
【００４２】
ハーフカット６、５３は、フィルム基材２１、４１に形成されており、遮光層２２、４２を貫通しない深さにキャップシール２や熱収縮性ラベル４の表面側（容器の外面側）よりラベルの縦方向に形成されている。（図４）
【００４３】
このようなハーフカット６、５３を形成する手段としては、レーザーの照射によるものが好ましい。
【００４４】
レーザーをフィルム基材２１に照射し、走査することによりフィルム基材２１、４１の表面側を線状に加熱、溶融、蒸発等して形成する。
【００４５】
レーザーの種類としては、炭酸ガスレーザー、ＹＡＧレーザー、半導体レーザー等をフィルムの材質、厚み、加工速度等により選択して使用する。
【００４６】
ハーフカット６、５３の深さは、フィルム基材２１、４１を形成する熱収縮性フィルムの厚さの２０％〜８０％程度でフィルムの材質（強度）等により適宜設定するが、前記遮光層２２、４２を貫通しないことが重要である。
【００４７】
また、ハーフカット６、５３は、図５（ハーフカットの縦方向断面図）に表すように、カットの深さが深い部分と浅い部分を繰り返すように形成したものでも良い。
【００４８】
この場合は、浅い部分でフィルム基材２１、４１の強度を維持し、深い部分で切断を容易にする効果が有り好ましい。
【００４９】
レーザーによるハーフカットでは、その出力制御等により、深い部分と浅い部分の繰り返し形成を容易に達成できる。
【００５０】
また、ハーフカット６、５３の形態としては、レーザーを断続的に照射し、ミシン目状（断続的）にハーフカットを施したものでも良い。
【００５１】
なお、ハーフカットは、レーザーを用いることなく、金属製等の刃物によりフィルム基材を貫通しない切れ目を施すことにより形成しても良い。
【００５２】
これらのハーフカットは、フィルム基材２１、４１に印刷し所定幅にスリットされて印刷フィルムを筒状に加工する（センターシール）工程で施すことが好ましい。
【００５３】
上記、切込み５１、ミシン孔５２、ハーフカット５３、６は、前記筒状に形成した際のセンターシール（端部が重ね合わされて接着されている）部分の両側に沿って形成したものが、強度を有する二重部分を持って切り取ることが出来るため好ましい。
【００５４】
また、キャップシールは、切込み５１を設けることなく上端からミシン孔５２を設けたものや、切込み５１のみを設けたものでも良い。
【００５５】
さらに、切り裂き容易なフィルムの場合は、ハーフカット５３を設ける必要は無く、切り裂き難いフィルムの場合は、内面にカットテープ（ティアテープ）を貼り付けたものでも良い。
【００５６】
上記の遮光性容器１を製造する場合は、先ず内容物が充填されキャップ２を装着された透明なＰＥＴボトル等の透光性容器本体３の胴部に筒状の熱収縮性ラベル４を嵌挿しスチームや熱風により加熱収縮させて装着させる。
【００５７】
このとき、熱収縮性ラベルは、容器本体３の胴部上方（首部）の小径部分まで収縮させる必要が無いので、熱収縮性ラベルのデザインの歪みが少なく、しかも短時間で収縮させることが出来る。
【００５８】
次に、キャップシール２を下端部が熱収縮性ラベル４の上端部に重なり合うように被せ、同様に収縮させる。
【００５９】
キャップシール２と熱収縮性ラベル４が重なり合っているので容器内部に有害な光が入ることが無い。
【００６０】
この遮光性容器１を開封する場合は、２条の切込み５１の間を摘み、下方へ引裂くことで、ミシン孔５２、ハーフカット５３が裂けて、キャップシール２が取り除かれる。
【００６１】
また、透光性容器本体をリサイクルする場合には、ハーフカット６に沿って切り裂くことで熱収縮性ラベル４を分離（デラベリング）することができる。
【００６２】
なお、熱収縮性ラベル４の、キャップシール２と重なり合う上端部分に切込み（ハーフカットとの併設が好ましい）を施すことで遮光性を損なうことなく切り取り性を良くできる。
【００６３】
また、本発明に係る遮光性容器１を構成するキャップシール２は、図６に示すように、キャップシール２の下端部分に上方へ向けて切り取り容易とする切込み５４が設けられたものも好ましい。
【００６４】
切込み５４は、遮光性を有する熱収縮性ラベル４に重なる部分に形成されるので遮光性が損なわれることが無い。
【００６５】
切込み５４に連接するようにハーフカットを形成しても良く、図６に示すように内面にカットテープ５５を貼り付けたものでも良い。
【００６６】
さらに、キャップシール２としては、キャップシールの上端開口部を遮光性材料（樹脂や金属の遮光性シート等）で閉塞した天付（天板付）のキャップシールを用いても良い。
【００６７】
この場合は、キャップ７の遮光性が不要となる。
【００６８】
なお、本発明に係る遮光性容器は、上記した実施形態の具体的構成に限定されるものではなく、必要に応じ適宜設計変更できることは言うまでもない。
【００６９】
【発明の効果】
以上のように、本発明に係る遮光性容器は、透光性容器本体が遮光性を有する熱収縮性ラベルとキャップシールにより適切に遮光されており内容物の保存性に優れている。
【００７０】
しかも、熱収縮性ラベルは胴部上方を除く胴部を被覆するため、上部のデザイン等の歪みが少ない。
【００７１】
開封用の切込みを有するキャップシールを用いた場合にも、良好な遮光性を有する。
【図面の簡単な説明】
【図１】本発明に係る遮光性容器の構成例を示す斜視図。
【図２】図１の要部断面を示す図。
【図３】（イ）（ロ）（ハ）は、本発明に係る遮光性容器のキャップシールおよび熱収縮性ラベルの構成例の断面図。
【図４】図１のＡ−Ａ線で切断した断面図。
【図５】ハーフカットを説明する縦断面図。
【図６】本発明に係る遮光性容器の一部分を示す斜視図。
【符号の説明】
１  遮光性容器
２  キャップシール
３  透光性容器本体
４  熱収縮性ラベル
６  ハーフカット
７  キャップ
２１  フィルム基材
２２  遮光層
４１  フィルム基材
４２  遮光層
５１  切込み
５３  ハーフカット
５４  切込み
【図１】
2004256143.tif 000003
【図２】
2004256143.tif 000004
【図３】
2004256143.tif 000005
【図４】
2004256143.tif 000006
【図５】
2004256143.tif 000007
【図６】
2004256143.tif 000008